(57)【要約】      （修正有）【課題】カラス等鳥獣の侵入を確実に阻止でき，散乱防止効果が高く廉価で、かつ覆いに手を触れることなく，集積物を覆い内に投入できる散乱防止用覆いの提供。【解決手段】網や布等の「たわみ」可能な素材である布状体１を立体的に縫製し、天井部に設けた「すき間」を設けて投入口２とし、浮設手段３である矩形の柵状体３２の四隅にフック５を配して、布状体１を吊り上げ、浮設することにより、投入物を載せると前記布状体１が撓んで沈み込み、投入口２が変形して投入物を下に向かって通過させた後に該投入口２の形状が復元する。【選択図】図２
2007145520.tif 000002
【特許請求の範囲】
【請求項１】
網や布等の「たわみ」可能な素材である布状体によって立体的に構成され、天井部に設けた「すき間」を投入口とした投入口を有する覆いであり、浮設した前記覆いの上に廃棄物等の投入物を載せると、前記布状体が撓んで沈み込み、投入口が変形して投入物を下に向かって通過させた後に該投入口の形状を復元することを特徴とする散乱防止用覆い。
【請求項２】
前記布状体が天井部と側部を有して立体的に縫製された覆いであって、前記天井部が投入口に向かって傾斜していることを特徴とする請求項１に記載した散乱防止用覆い。
【発明の詳細な説明】
【技術分野】
【０００１】
本発明はごみ集荷場等におけるごみの散乱を防止する散乱防止用覆いに関するものである。
【背景技術】
【０００２】
近年，都市部ではカラスが生ごみの入ったごみ袋を切り裂いて，中の残飯等を食いあさり，袋の内容物を路上等に散乱させる被害が日常化している。強固な収納庫や収納箱を用いればこれらの被害は防げるが，ごみ集荷場を路上の一角に設定しなければならないという事情がこのごみ収納庫や収納箱の設置を防げている。また，内部の見えないごみ箱の設置は，内部の汚れを放置することにつながり，悪臭等非衛生的な結果を招きやすい欠陥を持っている。そこで，カラス等鳥獣によるごみの散乱被害を食い止めるためにいくつもの発明がなされ，出願もされている。
【０００３】
【特許文献１】特許３５８５１２６号  特許３５８５１２６号はは投入口を有する散乱防止用覆いに関するものであり、投入口を有しているがその構成については触れていない。当該特許の願書における図面では布状体の一部を切り裂きその周囲を他の素材で補強したように描かれている。この場合、本件発明の如き使い方、すなわち、天井部に投入物を載置すると該投入物の自重で天井部が沈み込み、投入口が変形して該投入物が該投入口を通過し、該通過の後に投入口の形状が復元して閉鎖するといった使い方には不向きである。投入口周辺に補強された部分が存在すると、その周囲との間に撓み特性の差が出てしまい、前記投入物のなめらかな滑り込みが期待できなくなることからこのことの改善が求められる。
【０００４】
【特許文献２】特許３６７０６５６号特許３６７０６５６号に記載された発明はカラスによる散乱非該当の課題を解決するために開発されたものであり，特許３５８５１２６号の改良発明であって一定の効果を上げるものであるが，更に改善すべき課題を残している。それは改良したはずの投入口の問題であり，前記特願２００４−２４１７４７号に記載された発明の投入口は二枚合わせになっていて，カラスの進入が防げると同時に，投入口からごみ袋等の集積物を何げなく投入しても，当該投入後に投入口が自然にしっかりとしまる構成となっているのであるが，当該発明においては，集積物を前記投入口から投入する際に，二枚合わせになって筒状を形成する布状体の内の上に位置する布状体を何らかの方法でつり上げる必要がある。
【０００５】
当当該発明は，投入口にごみ袋等の集積物をあてがい，上に位置する布状体をつり上げると前記集積物は，自然に前記覆いの中に滑り込み，集積物が中央に集められ，かつ鳥獣が侵入できなくなる点で優れてはいるが，つり上げる等の作業を必要としない散乱防止用覆いできれば，更に望ましいことである。近年の生活様式によれば，出勤途中にごみの搬出をする者も多く，手が汚れることを恐れ，「覆い」であるネット等に触りたがらない傾向が強い。「覆い」としての確実な効果を有していても，「覆い」に触れたくないという理由で当該「覆い」の外に生ごみを置かれてしまってはなすすべがない。「覆い」に手を触れることなく，集積物を覆い内に投入でき，かつカラス等の侵入を確実に阻止でき，散乱防止効果が高く，集積物の取り出しの容易な散乱防止用覆いが望まれる。
【発明の開示】
【発明が解決しようとする課題】
【０００６】
カラス等鳥獣の侵入を確実に阻止でき，散乱防止効果が高い散乱防止用覆いを廉価に供すること。覆いに手を触れることなく，集積物を覆い内に投入できる散乱防止用覆いを供すること。
【課題を解決するための手段】
【０００７】
網や布等の「たわみ」可能な素材である布状体によって立体的に構成された覆いであり、天井部に設けた「すき間」を投入口とした投入口を有する覆いであり、浮設した前記覆いの上に廃棄物等の投入物を載せると前記布状体が撓んで沈み込み、投入口が変形して投入物を下に向かって通過させた後に該投入口の形状を復元することを特徴とする散乱防止用覆いを供する。
【０００８】
前記布状体が天井部と側部を有して立体的に縫製された覆いであって、前記天井部が投入口に向かって傾斜することを特徴とする散乱防止用覆いを供する。
【発明の効果】
【０００９】
網や布等の「たわみ」可能な素材である布状体によって立体的に構成された覆いであり、天井部に設けた「すき間」を投入口とした投入口を有する覆いであり、浮設した前記覆いの上に廃棄物等の投入物を載せると前記布状体が撓んで沈み込み、投入口が変形して投入物を下に向かって通過させた後に該投入口の形状を復元することを特徴とする散乱防止用覆いであるため，次の効果を奏する。
【００１０】
投入口が「すき間」であって，素材がたわみ可能であるため、天井部に投入物を載せると自然に投入口が変形して投入物を下に向かって通過させた後に該投入口の形状を復元するため、蓋の開閉操作なしに投入物を覆いの下に投入物を投入することが出来る。前記覆いが投入物を覆うためため，カラスや野良猫等の鳥獣は投入口から侵入できなくなる。
【００１１】
前記布状体が天井部と側部を有して立体的に縫製された覆いであって、前記天井部が投入口に向かって傾斜することを特徴とする散乱防止用覆いであるため，次の効果を奏する。
【００１２】
前記投入物を天井部に置くだけで、天井部が沈み込み、投入口が押し広げられて変形し、前記集積物は覆い内に滑り込むが、天井部が投入口に向かって傾斜しているため、投入物の投入口に向かっての移動がよりスムーズに行われるという効果が得られる。
【発明を実施するための最良の形態】
【００１３】
本願発明は特許３６７０６５６号の改良発明であって，カラス等鳥獣の侵入を確実に阻止でき，散乱防止効果が高い散乱防止用覆いを廉価に供すること。覆いに手を触れることなく，集積物を覆い内に投入できる散乱防止用覆いを供することにある。以下図に基づき具体的に述る。なお，前述の投入口と以降記述の開口部、投入物と集積物はほぼ同義である。また、明細書中の浮設の文言は本件発明の散乱防止用覆いが空中に浮いた状態を意味せず、下端部が接地した状態で、その上部が空中に向かって吊り上げられた状態であることを意味する。
【実施例１】
【００１４】
図１の図Ａは、実施例１の一部断面を含む斜視図である。網や布等の「たわみ」可能な素材である布状体１によって立体的に構成された覆いであり、該複数の布状体片１１によって天井部１０を構成し、該天井部１０を構成する二の布状体片１１を寄せ合わせて「すき間」を構成し、該「すき間」を投入口２とした投入口２を有する覆いであり、浮設した前記覆いの上に廃棄物等の投入物を載せると前記布状体片１１が撓んで沈み込み、投入口２が変形して投入物を下に向かって通過させた後に該投入口２の形状を復元する。浮設手段３である門状体３１を２個立設し、その上に前記布状体１を覆い被せることで該布状体１浮設し、前記２個の門状体３１の四つの肩をピン３１１等で固定したものである。
【００１５】
該布状体1は設置時に上部が自重により沈み込み、蚊帳の天井部の如き形状を呈する。該布状体１の固定は出来る限り少ない面積や固定する箇所を少なくすることが望ましく、固定する面積や固定する箇所の数が多くなるほど、布状体１の形状を拘束し、投入口２付近の変形を妨げ、投入物がスムーズに投入口を通過できなくなる。図Ｂは実施例１の投入時の状態を示す一部断面を含む斜視図である。投入物４が投入口２である「すき間」を押し広げて布状体１の上（外）から下（内）に向かって通過しようとしている図である。通過後、投入口２は自らその形状を復元して狭まる。なお、本図は縫製による折り返しなど細部の形状は省略してある。
【実施例２】
【００１６】
図２は実施例２の斜視図である。布状体１を立体的に縫製し、天井部に「すき間」を設けて投入口２とし、浮設手段３である矩形の柵状体３２の四隅にフック５を配して布状体を吊り上げ、浮設したものである。実施例１のように周囲を筒型に縫製したものは、平面部が撓んで沈み込み、天井部１０が蚊帳型となるが、本実施例では、投入口２が下端になるように天井部１０を谷状に下げ、投入口２の位置を布状体上端部１２（１）よりも低くした例である。このことにより天井部１０は傾斜の付いた天井部１１１（１０）となることから、投入物を該傾斜の付いた天井部１１１（１０）の上に載置しすると、該当入物は投入口２に向かって滑り込み、投入物が容易に布状体１の内側に移動しやすくなる。
【００１７】
実施例１のように投入口２の端部２１が二つの係着位置（フック５の位置）を結んだ直線に近い位置にある場合には投入口２の両端２１が左右に引かれて、該投入口２はほぼ線状を呈して閉鎖される。本実施例のように投入口２の両端２１が二つの布状体係着位置（フック５の位置）を結んだ直線から離れた位置にある場合には、投入口２の端部２１の位置を拘束する力が働かずに、布状体１の自重によって中央に引き寄せられることから投入口２の形状はだらしなく開いた物となり易い。本実施例では投入口緊張状態維持手段６、（投入口２を左右に引き伸ばすことで該投入口２が閉じて線状に近い状態に維持する手段）として紐状体６１（６）を二本の柱３３に張り渡し、該紐状体６１（６）に前記投入口２の端部２１を結合している。このことにより、投入口２は左右に引き伸ばされて線状を呈し閉じる。このことは布状体１の可撓性によって可能となるが、該紐状体６１（６）をゴム紐にするなど可撓性を持たせることによって、投入口の変形幅が大きくなり、投入の作業はより容易になる。
【実施例３】
【００１８】
図３は実施例３の一部断面を含む斜視図である。実施例２では投入口２が矩形の天井部１０（１）を二分するように天井部の端から端まで伸び、該投入口２を挟む両側に傾斜の付いた天井部１１１（１）が左右にせり上がって谷状を呈したのに対し、本実施例では、投入口２が実施例２と比較して短く構成され、該投入口２から周囲に向かってに傾斜の付いた天井部１１１（１）が迫り上がるように形成された例である。投入口２が短くなると同時に、該投入口２の両端２１が二つの布状体係着位置（フック５の位置）を結んだ直線からより離れた位置にあるため、投入口２をきちんと閉じた状態に保つ力が弱くなる。また、天井部が風にあおられる危険性もある。そこで本実施例では投入口緊張状態維持手段６として前記投入口２の端部２１に、錘６２（６）を結合している。該錘６２（６）は下に向かって移動しようとし、結果として二つの錘６２（６）は左右に引き合う力が発生し、投入口２を閉じた状態に保つ。
【実施例４】
【００１９】
図４の図Ａは実施例４の斜視図である。本図は布状体１を立体的に縫製し、浮設手段３である腕３３１を有する柱３３によって浮設された散乱防止用覆いである。本実施例矩形である天井部１０（１）の一つの辺（本図では奥に位置する辺）を隣り合う布状体（ここでは背面の布状体１３）と縫合せずに「すき間」を構成してこれを投入口２とし、天井部１０（１）をこの投入口２に向かって傾斜させ、傾斜の付いた天井部１１１（１）としたものである。図Ｂは投入物４が集積された状態を示す一部断面を含む側面図である。投入口２の位置が浮設手段３に設けられたフック５から離れた距離にあるほど、投入口２は変形し易くなる。投入口緊張状態維持手段６の効果については実施例２や３の方法を導入でき、効果は前記効果と同様である。
【実施例５】
【００２０】
図５は実施例５斜視図である。本実施例は実施例２における投入口２を挟んで左右に分割され、せり上がった両側の傾斜の付いた天井部１１１（１）において、当該分割された左の天井部１１１１（１１）と右の天井部１１１２（１１）が投入口２の位置で段差を生じ、一方の傾斜の付いた天井部１１１が残る一方の傾斜の付いた天井部１１１の下に潜り込んだ構成の傾斜の付いた天井部１１１を有する散乱防止用覆いの例である。本実施例では、投入口２を垂直方向に俯瞰した場合、覆いの内部空間が外側に向かって直接的には開放されておらず、投入物の進入路が曲折することから鳥獣が侵入しにくい構成となっている。設置に当たっては布状体１の上端部１２を弛ませて張ることや布状体１を可撓性に富んだ素材にするなど、投入口２を変形しやすくするための配慮が必要となる。投入口緊張状態維持手段６の効果については実施例２や３の方法を導入でき、効果は前記効果と同様である。                          
【図面の簡単な説明】
【００２１】
【図１】図Ａは、実施例１の一部断面を含む斜視図            図Ｂは実施例１の投入時の状態を示す一部断面を含む斜視図
【図２】実施例２の斜視図
【図３】実施例３の一部断面を含む斜視図
【図４】図Ａは、実施例４の斜視図            図Ｂは投入物４が集積された状態を示す一部断面を含む側面図
【図５】１の一部断面を含む斜視図
【符号の説明】
【００２２】
１  布状体                 
１０  天井部               
１１  天井部を構成する布状体片
１１１  傾斜の付いた天井部   
１１１１  左の天井部         
１１１２  右の天井部         
１２  布状体上端部         
１３  背面の布状体         
２  投入口                 
２１  投入口の端部
３  浮設手段               
３１  門状体               
３１１  ピン         
３２  柵状体               
３３  柱                   
３３１  腕                 
４  投入物                 
５  フック                 
６  投入口緊張状態維持手段
６１  紐状体
６２  錘
【図１】
2007145520.tif 000003
【図２】
2007145520.tif 000004
【図３】
2007145520.tif 000005
【図４】
2007145520.tif 000006
【図５】
2007145520.tif 000007